(57)【要約】【課題】従来、強調表示を行うには、画像演算処理を実行した上で、データの置き換え処理を行わなければならず、処理の負担が問題になる。【解決手段】複数の走査ラインを有する表示パネルの表示を制御する表示制御装置であって、走査ラインのうち、強調表示する走査ラインを指定し、強調表示する走査ラインが指定された場合に、各フレーム画像を第１のフィールドと第２のフィールドとに分けて表示させる。そして、表示制御装置は、第１のフィールドにおいてすべての走査ラインを走査し、第２のフィールドにおいて強調表示する走査ラインのみを走査するように制御する。【選択図】        図１
2008107570.tif 000002
【特許請求の範囲】
【請求項１】
複数の走査ラインを有する表示パネルの表示を制御する表示制御装置であって、
前記走査ラインのうち、強調表示する走査ラインを指定する強調ライン指定手段と、
前記強調表示する前記走査ラインが指定された場合に、各フレーム画像を第１のフィールドと第２のフィールドとに分けて前記表示パネルに表示させる制御手段と、
を備え、
前記制御手段は、前記第１のフィールドにおいてすべての前記走査ラインを走査し、前記第２のフィールドにおいて前記強調表示する前記走査ラインのみを走査するように制御することを特徴とする表示制御装置。
【請求項２】
前記制御手段は、
前記強調表示する前記走査ラインが指定された場合に、前記第１のフィールドの開始タイミング情報の送信後、前記第２のフィールドの開始タイミング情報を出力するタイミング制御手段と、
前記タイミング制御手段から受信した前記第１のフィールドの前記開始タイミング情報に基づいて、前記第１のフィールドの全走査ラインの走査のためのドライバ用信号を出力し、前記タイミング制御手段から受信した前記第２のフィールドの前記開始タイミング情報に基づいて、前記第２のフィールドの前記強調表示する前記走査ラインのみの走査のためのドライバ用信号を出力するドライバ信号出力手段と、
を有することを特徴とする請求項１に記載の表示制御装置。
【請求項３】
請求項１または２に記載の前記表示制御装置と、
前記表示制御装置からの制御に基づいて、前記複数の前記走査ラインを走査して輝点を制御する輝点制御ドライバと、
前記輝点制御ドライバの制御により前記各フィールドを表示する前記表示パネルと、
を備えたことを特徴とする表示装置。
【請求項４】
複数の走査ラインを有する表示パネルの表示を制御する表示制御装置において実行される表示制御方法であって、
前記走査ラインのうち、強調表示する走査ラインを指定する強調ライン指定ステップと、
前記強調表示する前記走査ラインが指定された場合に、各フレーム画像を第１のフィールドと第２のフィールドとに分けて表示されるよう前記表示パネルを制御する制御ステップと、
を含み、
前記制御ステップは、前記第１のフィールドにおいてすべての前記走査ラインを走査し、前記第２のフィールドにおいて前記強調表示する前記走査ラインのみを走査するように制御することを特徴とする表示制御方法。
【発明の詳細な説明】
【技術分野】
【０００１】
本発明は、表示制御装置、表示装置および表示制御方法に関するものである。
【背景技術】
【０００２】
従来、文字を強調して表示するには、コンピュータ本体装置のＣＰＵ等において画像演算処理を行う必要があった。
【０００３】
すなわち、特定ラインを強調させたい場合は、表示画像データを表示装置に送出する前に、強調対象となる位置の画像を強調データに置き換える処理を行い、さらに、強調済み画像データが用意されていない場合は、読み出した元画像データに対して輝度レベルを上げるなど強調度を上げる演算処理を行う。また、描画ソフトウェアには輝度を上げるための処理系が含まれているものもある。
【０００４】
例えば、特許文献１は、視野角によってパネルのコントラストが低下した時に、コントラスト強調関数による演算でコントラストを高めた階調値の再設定を行うか、もしくは再設定値テーブルを予め用意しておき、階調値を取り出して再設定を行うことにより文字の見易さを確保するものである。
【０００５】
【特許文献１】特開２００４−２２６６８１号公報
【発明の開示】
【発明が解決しようとする課題】
【０００６】
しかしながら、従来の特定ライン強調方法では、画像演算処理を実行した上で、データの置き換え処理を行わなければならず、処理の負担となっている。そのため、他の機能を実現するためのコンピュータ処理能力を占有する割合が上がるという問題が生じる。
【０００７】
特に、上述した特許文献１に記載の文字強調表示方法においては、予め文字情報ごとに、所定の平滑化処理を施して、階調化する処理を必要とする。そのため特許文献１の文字強調表示情報を使用した場合、所定の階調化処理に加え、視角に応じて輝度レベル等の強調処理を行わなくてはならず、依然として処理負担がかかるという問題が残る。
【０００８】
本発明が解決しようとする課題には上述した問題が一例として挙げられる。
【０００９】
本発明は、上記に鑑みてなされたものであって、コンピュータ本体において、処理負担の大きな画像演算処理を実行せずに強調表示を可能とする、表示制御装置、表示装置および表示制御方法を提供することを目的とするものである。
【課題を解決するための手段】
【００１０】
このような目的を達成するため、請求項１に記載の表示制御装置は、複数の走査ラインを有する表示パネルの表示を制御する表示制御装置であって、前記走査ラインのうち、強調表示する走査ラインを指定する強調ライン指定手段と、前記強調表示する前記走査ラインが指定された場合に、各フレーム画像を第１のフィールドと第２のフィールドとに分けて前記表示パネルに表示させる制御手段と、を備え、前記制御手段は、前記第１のフィールドにおいてすべての前記走査ラインを走査し、前記第２のフィールドにおいて前記強調表示する前記走査ラインのみを走査するように制御することを特徴とする。
【００１１】
また、請求項３に記載の表示装置は、請求項１または２に記載の前記表示制御装置と、前記表示制御装置からの制御に基づいて、前記複数の前記走査ラインを走査して輝点を制御する輝点制御ドライバと、前記輝点制御ドライバの制御により前記各フィールドを表示する前記表示パネルと、を備えたことを特徴とする。
【００１２】
また、請求項４に記載の表示制御方法は、複数の走査ラインを有する表示パネルの表示を制御する表示制御装置において実行される表示制御方法であって、前記走査ラインのうち、強調表示する走査ラインを指定する強調ライン指定ステップと、前記強調表示する前記走査ラインが指定された場合に、各フレーム画像を第１のフィールドと第２のフィールドとに分けて表示されるよう前記表示パネルを制御する制御ステップと、を含み、前記制御ステップは、前記第１のフィールドにおいてすべての前記走査ラインを走査し、前記第２のフィールドにおいて前記強調表示する前記走査ラインのみを走査するように制御することを特徴とする。
【発明を実施するための最良の形態】
【００１３】
以下に、本発明に係る本実施の形態の本表示制御装置、本表示装置および本表示制御方法の実施の形態を図面に基づいて詳細に説明する。なお、この実施の形態によりこの発明が限定されるものではない。
【００１４】
［本実施の形態の概要］
以下、本実施の形態の概要について説明し、その後、本実施の形態の構成および処理等について詳細に説明する。
【００１５】
本実施の形態は、概略的に、以下の基本的特徴を有する。
【００１６】
すなわち、本実施の形態に係る本表示制御装置は、複数の走査ラインを有する表示パネルの表示を制御するものである。本表示制御装置は、走査ラインのうち、強調表示する走査ラインを指定する。そして、本表示制御装置は、強調表示する走査ラインが指定された場合に、各フレーム画像を第１のフィールドと第２のフィールドとに分けて表示されるよう制御する。
【００１７】
そして、本表示制御装置は、第１のフィールドにおいてすべての走査ラインを走査し、第２のフィールドにおいて強調表示する走査ラインのみを走査するように制御する。すなわち、本表示制御装置は、強調表示する走査ラインが指定された場合に、第１のフィールドの開始タイミング情報の送信後、第２のフィールドの開始タイミング情報を出力し、第１のフィールドの開始タイミング情報に基づいて、第１のフィールドの全走査ラインの走査のためのドライバ用信号を出力し、第２のフィールドの開始タイミング情報に基づいて、第２のフィールドの強調表示する走査ラインのみの走査のためのドライバ用信号を出力する。
【００１８】
これにより、本実施の形態の本表示制御装置は、第１フィールドの表示に続いて、強調表示にかかる走査ラインのみを第２フィールドで走査するので、第２フィールドでは画面の上端から下端までの全走査を繰り返すことがない。このため、走査に要する時間が最低限で済み、画面のちらつきを抑えることができる一方で、強調指定されたラインの平均輝度点灯時間を増加させることができるので、利用者に輝度を高く見せることができるという効果を奏する。また、階調変更のための画像演算処理を行わないので、処理に負担がかからないという効果を奏する。
【００１９】
以上が本発明にかかる本実施の形態の本表示制御装置の概要である。
【００２０】
［本表示装置の構成］
まず、本実施の形態に係る表示制御装置を備えた表示装置の構成について説明する。図１は、本実施の形態が適用される本表示装置の構成の一例を示すブロック図であり、該構成のうち本実施の形態に関係する部分のみを概念的に示している。本表示装置は、概略的に表示コントローラ１０と、表示マイコン２０と、陽極ドライバ３１および陰極ドライバ３２と、表示パネル３０と、を通信可能に接続して構成されている。
【００２１】
表示マイコン２０は、走査ラインのうち強調して表示する走査ラインを指定するための情報である、強調ライン指定情報を表示コントローラ１０に送信する強調ライン指定手段である。さらに、強調ライン指定情報とともに、表示する画像・映像の階調信号を表示コントローラ１０に送信する。
【００２２】
陽極ドライバ３１および陰極ドライバ３２は、表示パネル３０における輝点を制御するための輝点制御ドライバであり、表示コントローラ１０から受信したドライバ用信号に基づいて表示パネル３０の駆動電流を制御する。
【００２３】
表示パネル３０は、表示コントローラ１０がドライバ用信号を介して輝点制御ドライバ（陽極ドライバ３１および陰極ドライバ３２）を制御することにより画像・映像を表示する対象となる表示手段である。
【００２４】
表示コントローラ１０は、表示パネル３０の輝点制御ドライバ（陽極ドライバ３１および陰極ドライバ３２）にドライバ用信号を出力する制御手段である。なお、本実施の形態において、表示コントローラ１０は、各フレーム画像が第１フィールドと第２フィールドとに分けて表示されるよう表示パネル３０を制御し、第１のフィールドにおいてすべての走査ラインを走査し、第２のフィールドにおいて強調表示する走査ラインのみを走査するように制御する制御手段として機能する。
【００２５】
具体的には、表示コントローラ１０は、ドライバ用信号を輝点制御ドライバ（陽極ドライバ３１および陰極ドライバ３２）に出力することにより、第１のフィールドに続いて第２のフィールドを交互に連続的に表示するように表示パネル３０を制御する。そして、表示コントローラ１０は、強調ライン指定手段である表示マイコン２０により強調表示する走査ラインが指定された場合に、第１のフィールドにおいては、すべての走査ラインを順次に走査するよう制御し、第２のフィールドにおいては、強調ライン指定手段によって強調表示すると指定された走査ラインのみを走査するよう制御する。つまり、第２のフィールドにおいては、強調表示すると指定されなかった走査ラインは走査しないように制御する。一方、表示コントローラ１０は、表示マイコン２０の強調ライン指定手段により強調表示を行わないと指定された場合は第１フィールドのドライバ用信号のみを輝点制御ドライバ（陽極ドライバ３１および陰極ドライバ３２）に出力することにより、第１のフィールドのみを表示するように表示パネル３０を制御する。
【００２６】
ここで、図２は、表示コントローラ１０の内部構成を示す論理構成図である。図２において表示コントローラ１０は、概略的に、表示装置を統括的に制御する制御手段であり、タイミング制御部１１、表示メモリ１２、階調信号出力部１３、同期信号出力部１４、および、階調パルス発生器１５を備えて構成されており、これら各部は図２に示すように通信路を介して通信可能に接続されている。
【００２７】
タイミング制御部１１は、階調信号出力部１３、同期信号出力部１４、および、階調パルス発生器１５に接続され、表示マイコン２０等から受信した強調ライン指定情報に基づいて、表示フレームとライン走査を同期させるフレーム／ライン開始タイミング情報を生成し、階調信号出力部１３と、同期信号出力部１４と、階調パルス発生器１５とに対して、送信するタイミング制御手段である。すなわち、本実施の形態において、タイミング制御部１１は、強調表示する走査ラインが指定された場合に、第１のフィールドの開始タイミング情報の送信後、第２のフィールドの開始タイミング情報を出力するタイミング制御手段として機能する。
【００２８】
表示メモリ１２は、階調信号出力部１３に接続され、表示マイコン２０から受信した階調信号を、一時的に記憶し階調信号出力部１３に出力する表示メモリである。これにより、受信した階調信号を一時的にプールしておくことができるので、送信先の階調信号出力部１３で階調信号に動的に遅延量が変化しても、階調信号出力部１３において欠落なしに階調信号を出力することができる。
【００２９】
階調信号出力部１３は、表示メモリ１２、および、タイミング制御部１１に接続され、タイミング制御部１１から入力されたフレーム／ライン開始タイミング情報に基づいて、表示メモリ１２から入力された階調信号を対応するライン走査に同期した所定のフォーマットに配列し、輝点制御ドライバ（陽極ドライバ３１および陰極ドライバ３２）に出力する階調信号出力手段である。
【００３０】
同期信号出力部１４は、タイミング制御部１１に接続され、タイミング制御部１１からのフレーム／ライン開始タイミング情報に基づいて、輝点制御ドライバ（陽極ドライバ３１および陰極ドライバ３２）に対して、必要な水平同期信号および垂直同期信号を生成出力する同期信号出力部である。ここで、同期信号出力部１４は、強調する領域を指定する強調ライン番号情報を、輝点制御ドライバ（陽極ドライバ３１および陰極ドライバ３２）に送信するよう構成してもよい。
【００３１】
階調パルス発生器１５は、タイミング制御部１１に接続され、タイミング制御部１１からのフレーム／ライン開始タイミング情報に基づいて、ライン走査に同期した所定のフォーマットで階調パルス信号を生成する階調パルス発生手段である。例えば、輝点制御ドライバ（陽極ドライバ３１および陰極ドライバ３２）では階調に基づいたＰＷＭ駆動電流を生成しており、そのために時間基準として階調パルス発生器１５は階調パルス信号を送信する。
【００３２】
ここで、本実施の形態において、階調信号出力部１３、同期信号出力部１４、および、階調パルス発生部１５は、概念的に、タイミング制御部１１から受信した第１のフィールドの開始タイミング情報に基づいて、第１のフィールドの全走査ラインの走査のためのドライバ用信号を出力し、タイミング制御部１１から受信した第２のフィールドの開始タイミング情報に基づいて、第２のフィールドの強調表示する走査ラインのみの走査のためのドライバ用信号を出力するドライバ信号出力手段として機能する。
【００３３】
［本表示制御装置の処理］
次に、このように構成された本実施の形態における本表示制御装置および本表示装置の処理の一例について、以下に図３〜図６を参照して詳細に説明する。
【００３４】
図３は、本実施の形態における本表示装置におけるタイミング制御部１１による第１フィールドおよび第２フィールドのライン走査処理の一例を示す概念図である。
【００３５】
［第１フィールドの処理］
まず、第１フィールドの処理の詳細について図３を参照して説明する。第１フィールドでは、通常行われる画面の上端から下端までの全ライン走査を行う。
【００３６】
すなわち、図３に示すように、各フィールドにおいて、本表示制御装置は、タイミング制御部１１の処理により、垂直同期をリセットする（ステップＳ−１）。
【００３７】
つぎに、本表示制御装置は、タイミング制御部１１の処理により、走査ライン番号に「０」（先頭ライン番号）を設定し、走査ライン番号等のフレーム／ライン開始タイミング情報を階調信号出力部１３、同期信号出力部１４、および階調パルス発生器１５に出力する（ステップＳ−２）。
【００３８】
つづいて、本表示制御装置は、階調信号出力部１３の処理により、表示メモリ１２等から入力された階調信号を、タイミング制御部１１から入力された走査ライン番号に該当するラインについて、走査に同期した所定のフォーマットに配列し出力する（ステップＳ−３）。同時に、同期信号出力部１４は、タイミング制御部１１からのフレーム／ライン開始タイミング情報に基づいて、後段の輝点制御ドライバ（陽極ドライバ３１および陰極ドライバ３２）に対して必要な水平同期信号および垂直同期信号を生成出力する。また、このとき階調パルス発生器１５は、タイミング制御部１１からのフレーム／ライン開始タイミング情報に基づいて、ライン走査に同期した所定のフォーマットで階調パルス信号を生成する。
【００３９】
つぎに、本表示制御装置は、タイミング制御部１１の処理により、走査ライン番号をインクリメントする（ステップＳ−４）。
【００４０】
つづいて、本表示制御装置は、タイミング制御部１１の処理により、走査ライン番号が最終ライン番号より大きいか否かを設定する（ステップＳ−５）。
【００４１】
そして、本表示制御装置は、タイミング制御部１１の処理により、走査ライン番号が最終ライン番号より大きくないと設定した場合は（ステップＳ−５、Ｎｏ）、ステップＳ−３に戻って、順番に各走査ラインの階調信号を、走査に同期した所定のフォーマットに配列し輝点制御ドライバ（陽極ドライバ３１および陰極ドライバ３２）に出力する（ステップＳ−３〜５）。
【００４２】
一方、本表示制御装置は、タイミング制御部１１の処理により、走査ライン番号が最終ライン番号より大きいと設定した場合は（ステップＳ−５、Ｙｅｓ）、第１フィールドの駆動制御を終了し、第２フィールドの処理に移る（ステップＳ−６）。
【００４３】
これにて、第１フィールドの処理が終了する。
【００４４】
［第２フィールドの処理］
次に、第２フィールドの処理の詳細について図３を参照して説明する。第２フィールドでは、画面の上端から下端までの全ライン走査を行う代わりに、強調表示指定に係るラインについてのみの走査を行うよう制御する。
【００４５】
まず、図３に示すように、本表示制御装置は、第２フィールドとして、タイミング制御部１１の処理により、垂直同期をリセットする（ステップＳ−６）。
【００４６】
次に、本表示制御装置は、タイミング制御部１１の処理により、走査ライン番号に「０」（先頭ライン番号）を設定する（ステップＳ−７）。
【００４７】
つづいて、本表示制御装置は、タイミング制御部１１の処理により、入力された強調ライン指定に基づいて、当該走査ライン番号がライン強調の対象であるか否かを設定する（ステップＳ−８）。
【００４８】
そして、本表示制御装置は、タイミング制御部１１の処理により、当該走査ライン番号がライン強調の対象であると設定した場合は（ステップＳ−８、Ｙｅｓ）、走査ライン番号を階調信号出力部１３と同期信号出力部１４に出力し、階調信号出力部１３の処理により、表示メモリ１２等から入力された階調信号を、タイミング制御部１１から入力された走査ライン番号に該当するラインについて、走査に同期した所定のフォーマットに配列し出力する（ステップＳ−９）。同時に、本表示制御装置は、同期信号出力部１４の処理により、タイミング制御部１１から受信した強調ライン指定情報に基づいて、輝点制御ドライバ（陽極ドライバ３１および陰極ドライバ３２）に対し、第２フィールドの走査を行うラインを指示する強調ライン番号情報を必要な水平・垂直同期信号とともに送信する。また、このとき階調パルス発生器１５でも階調パルス信号が、輝点制御ドライバ（陽極ドライバ３１および陰極ドライバ３２）に送信される。
【００４９】
一方、本表示制御装置は、タイミング制御部１１の処理により、当該走査ライン番号がライン強調の対象でないと設定した場合は（ステップＳ−８、Ｎｏ）ステップＳ−９の処理を行わず、次のステップＳ−１０に処理を移す。
【００５０】
つぎに、本表示制御装置は、タイミング制御部１１の処理により、走査ライン番号をインクリメントする（ステップＳ−１０）。
【００５１】
つづいて、本表示制御装置は、タイミング制御部１１の処理により、走査ライン番号が最終ライン番号より大きいか否かを設定する（ステップＳ−１１）。
【００５２】
そして、本表示制御装置は、タイミング制御部１１の処理により、走査ライン番号が最終ライン番号より大きくないと設定した場合は（ステップＳ−１１、Ｎｏ）、ステップＳ−８に戻って、強調指定がある場合に、強調対象となる走査ラインのみの階調信号を、走査に同期した所定のフォーマットに配列し輝点制御ドライバ（陽極ドライバ３１および陰極ドライバ３２）に出力する（ステップＳ−８〜１１）。
【００５３】
一方、本表示制御装置は、タイミング制御部１１の処理により、走査ライン番号が最終ライン番号より大きいと設定した場合は（ステップＳ−１１、Ｙｅｓ）、第２フィールドの駆動制御を終了し、次のフレームの第１フィールドの処理に移る（ステップＳ−１）。
【００５４】
これにて、第２フィールドの処理が終了する。ここで、第１フィールドと第２フィールドの違いを示す時間とライン走査の関係を、図４を参照して説明する。図４は、時間とライン走査の関係を表す図である。
【００５５】
図４に示すように、任意のｎフレームの第１フィールドでは、本表示制御装置は、輝点制御ドライバ（陽極ドライバ３１および陰極ドライバ３２）を制御することにより走査ラインを先頭ラインから最終ラインまで順に描画していく。
【００５６】
一方、第１フィールドに続く第２フィールドでは、本表示制御装置は、輝点制御ドライバ（陽極ドライバ３１および陰極ドライバ３２）を制御することにより強調指定されたラインのみを降順に描画する。
【００５７】
そして、本表示制御装置は、強調指定にかかるラインがないと設定した場合には、即つぎのｎ＋１フレームの第１フィールドに移り、再び走査ラインを先頭ラインから最終ラインまで描画していくよう制御することを繰り返す。ここで、このように描画された走査ラインで表された表示画面を、図５および図６を参照して説明する。図５は、本表示制御装置の制御により描画された走査ラインによって表現された表示画面の時系列の一例を示す図である。また、図６は、そのとき利用者が、実際に肉眼で感じる表示画面の画像の一例を示す図である。
【００５８】
図５に示すように、任意のｎフレームの第１フィールドでは、画面の全走査が行われる結果、表示画面全体に情報が表現される。
【００５９】
つぎに、ｎフレームの第２フィールドでは、強調指定にかかる下半分の領域の走査ラインのみが描画され、上半分の走査ラインの描画は行われない。
【００６０】
この全走査を行う第１フィールドの表示と、強調指定ラインのみの走査を行う第２フィールドとを、繰り返すことにより、実際には利用者の目に、図６に示すように、画面下半分の輝度が上がったように見える。これは、強調指定に係る下半分の平均点灯時間が長くなり、下半分の輝度が上昇して見えるからである。
【００６１】
以上のように、本表示制御装置の制御によれば、第１フィールドの表示に続いて強調表示にかかるラインのみを第２フィールドで表示することで強調表示を行っているので、強調表示の対象となる元画像データに対して演算処理を行う必要がない。
【００６２】
また、第２フィールド時間は強調するラインの数に応じて決定されるので、第２フィールドを追加することによって必然的に発生する、第１フィールドのみ表示するラインにおけるフレームレートの低下、全体輝度の低下、視覚上のちらつきを抑制しながら、強調指定にかかる領域の強調表示を行うことができる。
【００６３】
［他の実施の形態］
さて、これまで本発明の実施の形態について説明したが、本発明は、上述した実施の形態以外にも、上記特許請求の範囲に記載した技術的思想の範囲内において種々の異なる実施の形態にて実施されてよいものである。
【００６４】
例えば、本実施の形態においては、特に表示パネル３０を陽極ドライバまたは陰極ドライバを用いて制御する態様で説明を行ったが、実施の形態として具体的には、有機ＥＬディスプレイ、プラズマディスプレイ、液晶ディスプレイなどが挙げられる。また、ドットの表示階調を駆動電流の出力時間で表現している（例えばＰＷＭ駆動）装置であるか、フルカラー表示、モノクロ表示のいずれかであるかを問わず同様に適用可能である。
【００６５】
また、本実施の形態においては、第１のフィールドおよび第２のフィールドにおける走査は、走査ライン番号順に順次走査するプログレッシブ方式で説明を行ったが、第１のフィールドにおいてすべての走査ラインが走査され、第２のフィールドにおいて強調表示する走査ラインのみが走査されていれば、これに限られない。例えば、奇数ラインと偶数ラインに分けて走査するインターレース方式で行ってもよい。
【００６６】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００６７】
このほか、上記文献中や図面中で示した処理手順、制御手順、具体的名称、画面例については、特記する場合を除いて任意に変更することができる。
【００６８】
また、表示制御装置に関して、図示の各構成要素は機能概略的なものであり、必ずしも物理的に図示の如く構成されていることを要しない。
【００６９】
例えば、表示制御装置の各装置が備える処理機能、特に表示コントローラ１０等にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現することができ、あるいは、ワイヤードロジックによるハードウェアとして実現することも可能である。尚、プログラムは、後述する記録媒体に記録されており、必要に応じて表示コントローラ１０に機械的に読み取られる。すなわち、ＲＯＭまたはＨＤなどの記憶装置などは、ＯＳ（Ｏｐｅｒａｔｉｎｇ  Ｓｙｓｔｅｍ）として協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００７０】
また、本発明に係るプログラムを、読み取り可能な記録媒体に格納することもできる。ここで、この「記録媒体」とは、フレキシブルディスク、光磁気ディスク、ＲＯＭ、ＥＰＲＯＭ、ＥＥＰＲＯＭ、ＣＤ−ＲＯＭ、ＭＯ、ＤＶＤ等の任意の「可搬用の物理媒体」、あるいは、ＬＡＮ、ＷＡＮ、インターネットに代表されるネットワークを介してプログラムを送信する場合の通信回線や搬送波のように、短期にプログラムを保持する「通信媒体」を含むものとする。
【００７１】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【００７２】
更に、装置の分散・統合の具体的形態は図示するものに限られず、その全部または一部を、各種の付加等に応じた任意の単位で、機能的または物理的に分散・統合して構成することができる。
【図面の簡単な説明】
【００７３】
【図１】本実施の形態が適用される本表示装置の構成の一例を示すブロック図である。
【図２】表示コントローラ１０の内部構成を示す論理構成図である。
【図３】本実施の形態における本表示装置におけるタイミング制御部１１による第１フィールドおよび第２フィールドのライン走査処理の一例を示す概念図である。
【図４】時間とライン走査の関係を表す図である。
【図５】本表示制御装置の制御により描画された走査ラインによって表現された表示画面の時系列の一例を示す図である。
【図６】利用者が、実際に肉眼で感じる表示画面の画像の一例を示す図である。
【符号の説明】
【００７４】
１０  表示コントローラ
１１  タイミング制御部
１２  表示メモリ
１３  階調信号出力部
１４  同期信号出力部
１５  階調パルス発生器
２０  表示マイコン
３０  表示パネル
３１  陽極ドライバ
３２  陰極ドライバ
【図１】
2008107570.tif 000003
【図２】
2008107570.tif 000004
【図３】
2008107570.tif 000005
【図４】
2008107570.tif 000006
【図５】
2008107570.tif 000007
【図６】
2008107570.tif 000008